(57)【要約】【課題】費用が掛からず取付け作業が容易であると共に、調整も行うことのできるエレベータの巻上機支持装置を提供する。【解決手段】  昇降路２内を昇降するかご１およびカウンターウェイト４と、前記かご１および前記カウンターウェイト４のガイドレール５ａ，５ｂと、前記かご１と前記カウンターウェイト４を懸架するロープ２１と、前記昇降路２内にあって昇降路２最下端より一定距離だけ上方にありかつ前記昇降路２の平断面内の一つの壁面に略平行に配置された薄形の巻上機９と、前記巻上機９を支持する取付枠１１とを有するエレベータにおいて、前記取付枠１１を、上枠１２と下枠１３及び側枠１４，１５でロ字状に組み立てると共に、前記上枠１２と下枠１３のそれぞれの一端を前記ガイドレール５ａに移動可能に固定し、かつ、前記下枠１３をテンションロッド１７ａ，１７ｂによってピットベース１８に固定した構成。【選択図】図１
2006052076.tif 000002
【特許請求の範囲】
【請求項１】
昇降路内を昇降するかごおよびカウンターウェイトと、前記かごおよび前記カウンターウェイトのガイドレールと、前記かごと前記カウンターウェイトを懸架するロープと、前記昇降路内にあって昇降路最下端より一定距離だけ上方にありかつ前記昇降路の平断面内の一つの壁面に略平行に配置された薄形の巻上機と、前記巻上機を支持する取付枠とを有するエレベータにおいて、前記取付枠を、上枠と下枠及び側枠でロ字状に組み立てると共に、前記上枠と下枠のそれぞれの一端を前記ガイドレールに移動可能に固定し、かつ、前記下枠をテンションロッドによってピットベースに固定したことを特徴とするエレベータの巻上機支持装置。
【請求項２】
前記テンションロッドを２本とし、前記側枠の延長上に設けたことを特徴とする請求項１記載のエレベータの巻上機支持装置。
【請求項３】
前記２本のテンションロッドを前記巻上機の荷重中心点下方に位置させたことを特徴とする請求項２記載のエレベータの巻上機支持装置。
【発明の詳細な説明】
【技術分野】
【０００１】
本発明は、エレベータの巻上機支持装置に係り、特に、昇降路内のスペースを利用して巻上機を設置した機械室レスのエレベータの巻上機支持装置に関する。
【背景技術】
【０００２】
近年、建物の利用効率を高めるため、昇降路内のスペースを利用して巻上機や制御盤などを設置するエレベータ、いわゆる機械室レスエレベータとして、昇降路内を昇降するかごと、前記かごと対向方向に移動するカウンターウェイトと、前記かごおよび前記カウンターウェイトのガイドレールと、前記かごと前記カウンターウェイトを懸架するロープと、前記昇降路内にあって昇降路最下端より一定距離だけ上方にありかつ前記昇降路の平断面内の一つの壁面に平行に配置された薄形の巻上機とから構成したものが提案され一部実用化されている。そして、前記巻上機の支持として、ピットベースビームに固定された柱体からなる固定体に巻上機をしっかりと固定するもの（特許文献１参照）、或いは一端をガイドレールに固定した巻上機固定用ビームに取付け、前記巻上機固定用ビームの他端を調整可能の支持具でピットベースビームに固定したもの（特許文献２参照）がある。
【０００３】
【特許文献１】特開２００３−２２１１７７号公報（段落番号００１０〜００１８，図２）
【特許文献２】特開２００１−１９２１９１号公報（段落番号００２３〜００３１，図５）
【発明の開示】
【発明が解決しようとする課題】
【０００４】
しかしながら、引用文献１のものでは、巻上機に懸架されたロープの上向きの張力が発生するため、固定体を頑丈なもので構成せざるを得ず、費用が嵩むという問題があった。また、据付時上下の調整が必要になったときその調整が構造上難しいという問題がある。
【０００５】
一方、引用文献２のものでは、調整は可能ではあるが、万一、ガイドレールに固定した巻上機固定用ビームが緩んだ場合、巻上機に懸架されたロープの上向きの張力により、巻上機固定用ビームが上方に持ち上げられるという恐れがあり、また、緩まないために強力な締め付け力が必要であった。
【０００６】
本発明は、上述した従来技術における実状からなされたもので、その目的は、費用が掛からず取付け作業が容易であると共に、調整も行うことのできるエレベータの巻上機支持装置を提供することにある。
【課題を解決するための手段】
【０００７】
前記目的を達成するために、本発明は、昇降路内を昇降するかごおよびカウンターウェイトと、前記かごおよび前記カウンターウェイトのガイドレールと、前記かごと前記カウンターウェイトを懸架するロープと、前記昇降路内にあって昇降路最下端より一定距離だけ上方にありかつ前記昇降路の平断面内の一つの壁面に略平行に配置された薄形の巻上機と、前記巻上機を支持する取付枠とを有するエレベータにおいて、前記取付枠を、上枠と下枠及び側枠でロ字状に組み立てると共に、前記上枠と下枠のそれぞれの一端を前記ガイドレールに移動可能に固定し、かつ、前記下枠をテンションロッドによってピットベースに固定した構成としている。
【０００８】
このように構成した本発明は、ロ字状に組み立てられた上枠と下枠のそれぞれの一端をガイドレールに移動可能に固定し、かつ、下枠をテンションロッドによってピットベースに固定するようにしたため、据え付け作業が容易であり、かつ、上方への引っ張り力はテンションロッドで持つことができ、ガイドレールへの固定する力を強くする必要がないばかりか、万一、ガイドレール部分の固定が緩んでも上方へ持ち上げられることはない。また、据付時、巻上機の上下の移動が必要になった時、ガイドレール部分の締め付け力を緩め、テンションロッドを上下に移動することにより簡単に調整することができる。
【発明の効果】
【０００９】
本発明によれば、据え付け作業が容易であり、かつ、上方への引っ張り力はテンションロッドで持つことができ、ガイドレールへの固定する力を強くする必要がないばかりか、万一、ガイドレール部分の固定が緩んでも上方へ持ち上げられることはない。また、据付時、巻上機の上下の移動が必要になった時、ガイドレール部分の締め付け力を緩め、テンションロッドを上下に移動することにより簡単に調整することができる。
【発明を実施するための最良の形態】
【００１０】
以下、本発明に係るエレベータの巻上機支持装置の実施形態を図に基づいて説明する。
【００１１】
図１は本発明のエレベータの巻上機支持装置を備えた機械室レスエレベータの全体構成図、図２は図１の巻上機支持部分の拡大正面図、図３は図２の側面図である。
【００１２】
図において、１は昇降路２内を昇降するかごで、このかご１はガイドレール３によって案内されるようになっている。４は前記かご１と対向方向に移動するカウンターウェイトで、このカウンターウェイト４はガイドレール５ａ，５ｂによって案内される。６は前記ガイドレール３，５ａ，５ｂの頂部に固定された頂部吊りビームで、この吊りビーム６にはプーリ７，８が設けられている。９は昇降路２の平断面内の一つの壁面に略平行に配置された薄型の巻上機で、この巻上機９にはシーブ１０が備えられている。
【００１３】
１１は前記巻上機９を支持する取付枠で、この取付枠１１は、上枠１２，下枠１３，側枠１４，１５で構成されロ字状に組み立てられている。そして、前記上枠１２と下枠１３の一端は、固定クリップ１６によってカウンターウェイト用のガイドレール５ａに移動可能に固定されている。１７ａ，１７ｂは一端が前記下枠１３に、他端がピットベース１８に固定ナット１９によって固定されたテンションロッドで、このテンションロッド１７ａ，１７ｂは、前記側枠１４，１５の延長上で、かつ、前記巻上機９の荷重中心点Ａ下方に位置するように設けられている。２０は前記かご１の下方に設けられたプーリ、２１は端部がロープ端固定装置２２で固定されたロープで、このロープ２１は、前記プーリ２０，プーリ７，シーブ１０，プーリ８、カウンターウェイト４上部に設けられたプーリ２３に巻き掛けられ、巻上機９の駆動によるシーブ１０の回転で移動し、かご１とカウンターウェイト４とを上下に昇降させるようになっている。２４は前記巻上機９の振動を吸振する防振ゴムである。２５は最上階フロア、２６は最下階フロアである。
【００１４】
上記のように、取付枠１１をロ字状に組み立て、この取付枠１１の上枠１２と下枠１３のそれぞれの一端をガイドレール５ａに移動可能に固定し、かつ、下枠１３をテンションロッド１７ａ，１７ｂによってピットベース１８に固定するようにしたため、安価に巻上機９の支持装置を得ることができる。また、据え付け作業が容易であり、かつ、上方への引っ張り力はテンションロッド１７ａ，１７ｂで持つことができ、ガイドレール５ａへの固定する力を強くする必要がないばかりか、万一、ガイドレール５ａ部分の固定が緩んでも上方へ持ち上げられることはない。また、据付時、巻上機９の上下の移動が必要になった時、ガイドレール５ａとの固定クリップ１６の締め付け力を緩め、テンションロッド
１７ａ，１７ｂを上下に移動することにより簡単に調整することができる。更に、テンションロッド１７ａ，１７ｂを前記側枠１４，１５の延長上に設けることにより安定した支持を行うことができるばかりか、前記巻上機９の荷重中心点Ａ下方に位置するように設けることによりより一層の安定的な巻上機の支持を行うことができる。
【図面の簡単な説明】
【００１５】
【図１】本発明のエレベータの巻上機支持装置を備えた機械室レスエレベータの全体構成図である。
【図２】図１の巻上機支持部分の拡大正面図である。
【図３】図２の側面図である。
【符号の説明】
【００１６】
１…かご、２昇降路、４…カウンターウェイト、５ａ，５ｂ…ガイドレール、９…巻上機、１０…シーブ、１１…取付枠、１２…上枠、１３…下枠、１４，１５…側枠、１６…固定クリップ、１７ａ，１７ｂ…テンションロッド、１８…ピットベース。
【図１】
2006052076.tif 000003
【図２】
2006052076.tif 000004
【図３】
2006052076.tif 000005